(57)【要約】【課題】従来よりも容易に無線端末を試験することができる試験装置及び試験方法を提供する。【解決手段】信号解析装置１０は、ＲＦ信号入力端子１１から入力した無線周波数信号を所定周波数の信号に周波数変換するミキサ１３と、ＤＵＴ１と無線通信を行う場合のＤＵＴ１のアンテナ接続端子とＲＦ信号入力端子１１との間の無線信号伝搬環境に関する予め取得されたＳパラメータを記憶するＳパラメータ記憶部３１と、Ｓパラメータ記憶部３１に記憶されたＳパラメータに基づいて設定されたフィルタ係数を有し、ミキサ１３によって周波数変換された信号に対しフィルタ係数によりフィルタ処理を行うＦＩＲフィルタ３３と、フィルタ処理された信号を解析する信号解析部１６と、を備える。【選択図】図４
2016191557.tif 000002
【特許請求の範囲】
【請求項１】
試験対象の無線端末（１）との無線通信に代えてケーブル（７）を介して前記無線端末から入力する無線周波数信号を解析する試験装置（１０）であって、
前記ケーブルを介して入力した前記無線周波数信号を所定周波数の信号に周波数変換する周波数変換手段（１３）と、
前記無線端末と前記無線通信を行う場合における前記無線周波数信号の伝搬環境に関する予め取得されたパラメータを記憶するパラメータ記憶手段（３１）と、
前記パラメータ記憶手段に記憶された前記パラメータに基づいて設定されたフィルタ係数を有し、前記周波数変換手段によって周波数変換された前記信号に対し前記フィルタ係数によりフィルタ処理を行うフィルタ処理手段（３３）と、
フィルタ処理された前記信号を解析する信号解析手段（１６）と、
を備えたことを特徴とする試験装置。
【請求項２】
試験対象の無線端末（１）との無線通信に代えてケーブル（７）を介して前記無線端末に出力する無線周波数信号を生成する試験装置（２０）であって、
所定周波数の信号を出力する信号出力手段（２１）と、
前記無線端末と前記無線通信を行う場合における前記無線周波数信号の伝搬環境に関する予め取得されたパラメータを記憶するパラメータ記憶手段（３１）と、
前記パラメータ記憶手段に記憶された前記パラメータに基づいて設定されたフィルタ係数を有し、前記信号出力手段から出力された前記信号に対し前記フィルタ係数によりフィルタ処理を行うフィルタ処理手段（３３）と、
フィルタ処理された前記信号を所定の無線周波数に周波数変換し前記ケーブルを介して前記無線端末に出力する周波数変換手段（２６）と、
を備えたことを特徴とする試験装置。
【請求項３】
前記パラメータ記憶手段は、前記パラメータとしてＳパラメータを記憶するものであり、
前記Ｓパラメータを時間領域のインパルス応答に変換するインパルス応答変換手段（３２）をさらに備え、
前記フィルタ処理手段は、前記インパルス応答を前記フィルタ係数として前記信号に畳み込むものである、
ことを特徴とする請求項１又は請求項２に記載の試験装置。
【請求項４】
前記無線端末は、第１のアンテナ（３）が接続される第１の端子（２）を有し、
前記無線通信を行う場合に前記第１のアンテナと無線通信する第２のアンテナ（４）が接続される第２の端子（１１、２７）をさらに備え、
前記パラメータ記憶手段は、前記第１の端子と前記第２の端子との間の、前記第１及び前記第２のアンテナを含む前記無線周波数信号の伝搬環境に関する予め取得されたパラメータを記憶するものである、
ことを特徴とする請求項１から請求項３までのいずれか１項に記載の試験装置。
【請求項５】
試験対象の無線端末（１）との無線通信に代えてケーブル（７）を介して前記無線端末から入力する無線周波数信号を解析する試験装置（１０）を用いた試験方法であって、
前記ケーブルを介して入力した前記無線周波数信号を所定周波数の信号に周波数変換する周波数変換ステップ（Ｓ１３）と、
前記無線端末と前記無線通信を行う場合における前記無線周波数信号の伝搬環境に関する予め取得されたパラメータに基づいて設定されたフィルタ係数を有するフィルタ処理手段（３３）により、前記周波数変換ステップにおいて周波数変換された前記信号に対し前記フィルタ係数によりフィルタ処理を行うフィルタ処理ステップ（Ｓ１７）と、
フィルタ処理された前記信号を解析する信号解析ステップ（Ｓ１８）と、
を含むことを特徴とする試験方法。
【請求項６】
試験対象の無線端末（１）との無線通信に代えてケーブル（７）を介して前記無線端末に出力する無線周波数信号を生成する試験装置（２０）を用いた試験方法であって、
所定周波数の信号を出力する信号出力ステップ（Ｓ２１）と、
前記無線端末と前記無線通信を行う場合における前記無線周波数信号の伝搬環境に関する予め取得されたパラメータに基づいて設定されたフィルタ係数を有するフィルタ処理手段（３３）により、前記信号出力ステップにおいて出力された前記信号に対し前記フィルタ係数によりフィルタ処理を行うフィルタ処理ステップ（Ｓ２４）と、
フィルタ処理された前記信号を所定の無線周波数に周波数変換し前記ケーブルを介して前記無線端末に出力する周波数変換ステップ（Ｓ２７）と、
を含むことを特徴とする試験方法。
【発明の詳細な説明】
【技術分野】
【０００１】
本発明は、例えば無線端末を試験する試験装置及び試験方法に関する。
【背景技術】
【０００２】
従来、この種の試験装置としては、試験対象の無線端末を電波シールドボックス内に収納して試験を実施する無線端末試験装置が知られている（例えば、特許文献１参照）。
【０００３】
特許文献１記載のものは、試験対象の移動機を電波シールドボックス内に収納し無線端末の外部インタフェース端子に制御信号線を接続して無線端末の電源を投入すると、この無線端末の機種を含む情報が取得され、この取得された機種情報に対応する試験パラメータ、試験手順及び通信手順が選択されて、試験が実施される構成を有する。
【０００４】
したがって、特許文献１記載のものは、試験対象の無線端末の機種情報（型番）を操作者に目視で読み取らせて操作入力させる必要はないので、操作者の作業負担を軽減でき、試験作業能率を向上させることができる。
【先行技術文献】
【特許文献】
【０００５】
【特許文献１】特開２００５−１０９９９２号公報
【発明の概要】
【発明が解決しようとする課題】
【０００６】
しかしながら、特許文献１記載のものでは、試験対象の移動機を試験前に電波シールドボックス内に収納し、試験後に電波シールドボックスから取り出す必要があるので、移動機の測定が煩雑で手間がかかるという課題があった。
【０００７】
本発明は、従来の課題を解決するためになされたものであり、従来よりも容易に無線端末を試験することができる試験装置及び試験方法を提供することを目的とする。
【課題を解決するための手段】
【０００８】
本発明の請求項１に係る試験装置は、試験対象の無線端末（１）との無線通信に代えてケーブル（７）を介して前記無線端末から入力する無線周波数信号を解析する試験装置（１０）であって、前記ケーブルを介して入力した前記無線周波数信号を所定周波数の信号に周波数変換する周波数変換手段（１３）と、前記無線端末と前記無線通信を行う場合における前記無線周波数信号の伝搬環境に関する予め取得されたパラメータを記憶するパラメータ記憶手段（３１）と、前記パラメータ記憶手段に記憶された前記パラメータに基づいて設定されたフィルタ係数を有し、前記周波数変換手段によって周波数変換された前記信号に対し前記フィルタ係数によりフィルタ処理を行うフィルタ処理手段（３３）と、フィルタ処理された前記信号を解析する信号解析手段（１６）と、を備えた構成を有している。
【０００９】
この構成により、本発明の請求項１に係る試験装置は、フィルタ処理手段が、無線端末と無線通信を行う場合における無線信号伝搬環境に関する予め取得されたパラメータに基づいて設定されたフィルタ係数を有し、周波数変換手段によって周波数変換された信号に対しフィルタ係数によりフィルタ処理を行うので、無線通信に代えて有線通信により無線端末を試験することができる。
【００１０】
したがって、本発明の請求項１に係る試験装置は、従来よりも容易に無線端末を試験することができる。
【００１１】
本発明の請求項２に係る試験装置は、試験対象の無線端末（１）との無線通信に代えてケーブル（７）を介して前記無線端末に出力する無線周波数信号を生成する試験装置（２０）であって、所定周波数の信号を出力する信号出力手段（２１）と、前記無線端末と前記無線通信を行う場合における前記無線周波数信号の伝搬環境に関する予め取得されたパラメータを記憶するパラメータ記憶手段（３１）と、前記パラメータ記憶手段に記憶された前記パラメータに基づいて設定されたフィルタ係数を有し、前記信号出力手段から出力された前記信号に対し前記フィルタ係数によりフィルタ処理を行うフィルタ処理手段（３３）と、フィルタ処理された前記信号を所定の無線周波数に周波数変換し前記ケーブルを介して前記無線端末に出力する周波数変換手段（２６）と、を備えた構成を有している。
【００１２】
この構成により、本発明の請求項２に係る試験装置は、フィルタ処理手段が、無線端末と無線通信を行う場合における無線信号伝搬環境に関する予め取得されたパラメータに基づいて設定されたフィルタ係数を有し、信号出力手段から出力された信号に対しフィルタ係数によりフィルタ処理を行うので、無線通信に代えて有線通信により無線端末を試験することができる。
【００１３】
したがって、本発明の請求項２に係る試験装置は、従来よりも容易に無線端末を試験することができる。
【００１４】
本発明の請求項３に係る試験装置は、前記パラメータ記憶手段は、前記パラメータとしてＳパラメータを記憶するものであり、前記Ｓパラメータを時間領域のインパルス応答に変換するインパルス応答変換手段（３２）をさらに備え、前記フィルタ処理手段は、前記インパルス応答を前記フィルタ係数として前記信号に畳み込むものである構成を有するのが好ましい。
【００１５】
本発明の請求項４に係る試験装置は、前記無線端末は、第１のアンテナ（３）が接続される第１の端子（２）を有し、前記無線通信を行う場合に前記第１のアンテナと無線通信する第２のアンテナ（４）が接続される第２の端子（１１、２７）をさらに備え、前記パラメータ記憶手段は、前記第１の端子と前記第２の端子との間の、前記第１及び前記第２のアンテナを含む前記無線周波数信号の伝搬環境に関する予め取得されたパラメータを記憶するものである構成を有するのが好ましい。
【００１６】
本発明の請求項５に係る試験方法は、試験対象の無線端末（１）との無線通信に代えてケーブル（７）を介して前記無線端末から入力する無線周波数信号を解析する試験装置（１０）を用いた試験方法であって、前記ケーブルを介して入力した前記無線周波数信号を所定周波数の信号に周波数変換する周波数変換ステップ（Ｓ１３）と、前記無線端末と前記無線通信を行う場合における前記無線周波数信号の伝搬環境に関する予め取得されたパラメータに基づいて設定されたフィルタ係数を有するフィルタ処理手段（３３）により、前記周波数変換ステップにおいて周波数変換された前記信号に対し前記フィルタ係数によりフィルタ処理を行うフィルタ処理ステップ（Ｓ１７）と、フィルタ処理された前記信号を解析する信号解析ステップ（Ｓ１８）と、を含む構成を有している。
【００１７】
この構成により、本発明の請求項５に係る試験方法は、フィルタ処理ステップにおいて、無線端末と無線通信を行う場合における無線信号伝搬環境に関する予め取得されたパラメータに基づいて設定されたフィルタ係数を有するフィルタ処理手段により、周波数変換ステップにおいて周波数変換された信号に対しフィルタ係数によりフィルタ処理を行うので、無線通信に代えて有線通信により無線端末を試験することができる。
【００１８】
したがって、本発明の請求項５に係る試験方法は、従来よりも容易に無線端末を試験することができる。
【００１９】
本発明の請求項６に係る試験方法は、試験対象の無線端末（１）との無線通信に代えてケーブル（７）を介して前記無線端末に出力する無線周波数信号を生成する試験装置（２０）を用いた試験方法であって、所定周波数の信号を出力する信号出力ステップ（Ｓ２１）と、前記無線端末と前記無線通信を行う場合における前記無線周波数信号の伝搬環境に関する予め取得されたパラメータに基づいて設定されたフィルタ係数を有するフィルタ処理手段（３３）により、前記信号出力ステップにおいて出力された前記信号に対し前記フィルタ係数によりフィルタ処理を行うフィルタ処理ステップ（Ｓ２４）と、フィルタ処理された前記信号を所定の無線周波数に周波数変換し前記ケーブルを介して前記無線端末に出力する周波数変換ステップ（Ｓ２７）と、を含む構成を有している。
【００２０】
この構成により、本発明の請求項６に係る試験方法は、フィルタ処理ステップにおいて、無線端末と無線通信を行う場合における無線信号伝搬環境に関する予め取得されたパラメータに基づいて設定されたフィルタ係数を有するフィルタ処理手段により、信号出力ステップにおいて出力された信号に対しフィルタ係数によりフィルタ処理を行うので、無線通信に代えて有線通信により無線端末を試験することができる。
【００２１】
したがって、本発明の請求項６に係る試験方法は、従来よりも容易に無線端末を試験することができる。
【発明の効果】
【００２２】
本発明は、従来よりも容易に無線端末を試験することができるという効果を有する試験装置及び試験方法を提供することができるものである。
【図面の簡単な説明】
【００２３】
【図１】本発明の第１実施形態における信号解析装置を従来の試験方法に適用した例を模式的に示した図である。
【図２】本発明に係る試験装置の第１実施形態におけるＤＵＴのブロック構成図である。
【図３】本発明の第１実施形態における信号解析装置とＤＵＴとが同軸ケーブルで接続された状態を示す図である。
【図４】本発明の第１実施形態における信号解析装置のブロック構成図である。
【図５】本発明の第１実施形態における信号解析装置のフローチャートである。
【図６】本発明の第２実施形態における信号生成装置を従来の試験方法に適用した例を模式的に示した図である。
【図７】本発明の第２実施形態における信号生成装置とＤＵＴとが同軸ケーブルで接続された状態を示す図である。
【図８】本発明の第２実施形態における信号生成装置のブロック構成図である。
【図９】本発明の第２実施形態における信号生成装置のフローチャートである。
【発明を実施するための形態】
【００２４】
以下、本発明の実施形態について図面を用いて説明する。
【００２５】
［第１実施形態］
この実施形態では、本発明に係る試験装置を信号解析装置に適用した例を挙げて説明する。
【００２６】
（信号解析装置１０の概要）
まず、本実施形態における信号解析装置１０の概要について説明する。
【００２７】
図１は、信号解析装置１０を従来の試験方法に適用した例を模式的に示した図である。図１に示すように、無線端末であるＤＵＴ１は、アンテナ接続端子２（第１の端子）に接続されたアンテナ３（第１のアンテナ）を有し、電波シールドボックス５内に収納されている。信号解析装置１０は、同軸ケーブル６、ＲＦ信号入力端子１１及び電波シールドボックス５内に収納されたアンテナ４（第２のアンテナ）を介し、無線通信によりＤＵＴ１の出力信号を入力して解析するようになっている。
【００２８】
ＤＵＴ１は、例えば図２に示す構成を有する。すなわち、ＤＵＴ１は、ベースバンド（ＢＢ）の信号を処理するＢＢＩＣ５０と、無線周波数（ＲＦ）の信号を処理するＲＦＩＣ６０と、を備えている。
【００２９】
ＢＢＩＣ５０は、全体の制御を行う制御回路５１、送信処理を行う送信回路５２、デジタル信号をアナログ信号に変換するＤＡＣ５３、アナログ信号をデジタル信号に変換するＡＤＣ５４、受信処理を行う受信回路５５を備えている。
【００３０】
ＲＦＩＣ６０は、ＲＦ送信信号にアップコンバートするＲＦ送信部６１、ＲＦ信号を受信してＢＢ信号にダウンコンバートするＲＦ受信部６２、送信又は受信を切り替える切替器６３を備えている。
【００３１】
以上のように、図１に示した試験構成により、信号解析装置１０は、外来ノイズを遮断した状態で、アンテナ３を含めたＤＵＴ１の評価を行うことができる。
【００３２】
しかしながら、前述の試験構成では、ＤＵＴ１を電波シールドボックス５内に収納する必要があるので、例えば、ＤＵＴ１を交換したり、アンテナ３のみを交換したりする試験では手間がかかり、試験時間が増大していた。
【００３３】
そこで、本実施形態では、図３に示すように、ＤＵＴ１と信号解析装置１０とを同軸ケーブル７で接続して、従来よりも容易にＤＵＴ１を試験できる構成としている。なお、同軸ケーブル７は、ケーブルの一例である。
【００３４】
（信号解析装置１０の構成）
次に、本実施形態における信号解析装置１０の構成について説明する。
【００３５】
図４に示すように、本実施形態における信号解析装置１０は、同軸ケーブル７を介して接続された試験対象のＤＵＴ１の出力信号を解析するものである。この信号解析装置１０は、試験装置の一例である。
【００３６】
信号解析装置１０は、ＲＦ信号入力端子１１、局部発振器１２、ミキサ１３、ＡＤＣ１４、歪み補正部１５、特性補正装置３０、信号解析部１６、表示部１７、操作部１８を備えている。なお、信号解析装置１０は、例えばＣＰＵ、ＲＯＭ、ＲＡＭ等を備え、ＲＯＭに予め記憶されたプログラムに従って動作するようになっている。
【００３７】
ＲＦ信号入力端子１１は、同軸ケーブル７を介し、ＤＵＴ１からＲＦ信号を入力してミキサ１３に出力するようになっている。このＲＦ信号入力端子１１は、第２の端子の一例である。
【００３８】
局部発振器１２は、所定周波数の局部発振信号を生成してミキサ１３に出力するようになっている。
【００３９】
ミキサ１３は、ＲＦ信号入力端子１１が入力したＲＦ信号と局部発振器１２からの局部発振信号とを混合してベースバンド信号に変換し、ＡＤＣ１４に出力するようになっている。このミキサ１３は、周波数変換手段の一例である。
【００４０】
ＡＤＣ１４は、ミキサ１３の出力信号をアナログ値からデジタル値に変換し、歪み補正部１５に出力するようになっている。
【００４１】
歪み補正部１５は、例えばデジタルフィルタで構成され、自装置で発生する歪みを補正し、補正した信号を特性補正装置３０に出力するようになっている。
【００４２】
特性補正装置３０は、Ｓパラメータ記憶部３１、ＩＦＦＴ部３２、ＦＩＲフィルタ３３を備え、ＤＵＴ１との通信が同軸ケーブル７を介した有線通信であっても、無線通信を行ったのと等価な信号が得られるよう、歪み補正部１５の出力信号を補正するようになっている。具体的には、特性補正装置３０は、以下に示す構成を有する。
【００４３】
Ｓパラメータ（Scattering parameter：散乱パラメータ）記憶部３１は、図１に示したように、ＤＵＴ１が有するアンテナ接続端子２と信号解析装置１０のＲＦ信号入力端子１１との間の無線信号伝搬環境に関するＳパラメータを記憶している。このＳパラメータは、例えばネットワークアナライザを用いて、又は、計算機シミュレーション解析によって予め取得されたものである。なお、Ｓパラメータ記憶部３１は、パラメータ記憶手段の一例である。また、本実施形態では、Ｓパラメータを例に挙げて説明するが、本発明はこれに限定されず、無線信号伝搬環境を表すことが可能なパラメータを用いることができる。
【００４４】
ＩＦＦＴ（Inverse Fast Fourier Transform：逆高速フーリエ変換）部３２は、Ｓパラメータ記憶部３１に記憶された周波数領域のＳパラメータを時間領域のインパルス応答に変換するようになっている。このＩＦＦＴ部３２は、インパルス応答変換手段の一例である。
【００４５】
ＦＩＲ（Finite Impulse Response：有限インパルス応答）フィルタ３３は、ＩＦＦＴ部３２によって変換されたインパルス応答をフィルタ係数として歪み補正部１５からの入力信号に畳み込むようになっている。すなわち、ＦＩＲフィルタ３３は、Ｓパラメータに基づいて設定されたフィルタ係数を有し、このフィルタ係数によりミキサ１３によって周波数変換された信号に対しフィルタ処理を行うものである。このＦＩＲフィルタ３３は、フィルタ処理手段の一例であり、他のデジタルフィルタを用いてもよい。
【００４６】
信号解析部１６は、操作部１８を介して試験者が設定した解析項目や解析条件等に基づいて、特性補正装置３０の出力信号を解析するようになっている。この信号解析部１６は、信号解析手段の一例である。
【００４７】
表示部１７は、例えば液晶ディスプレイで構成され、信号解析部１６の解析結果を表示するようになっている。
【００４８】
操作部１８は、信号解析部１６で解析する解析項目や解析条件、判定条件等を設定するため試験者が操作するものである。例えば、操作部１８は、各種条件を設定するための設定画面を表示するディスプレイ、キーボード、ダイヤル又はマウスのような入力デバイス、これらを制御する制御回路等を備える。
【００４９】
（信号解析装置１０の動作）
次に、本実施形態における信号解析装置１０の動作について図５を用いて説明する。
【００５０】
ＲＦ信号入力端子１１は、同軸ケーブル７を介し、ＤＵＴ１からＲＦ信号を入力する（ステップＳ１１）。
【００５１】
局部発振器１２は、所定周波数の局部発振信号を生成する（ステップＳ１２）。
【００５２】
ミキサ１３は、ＲＦ信号入力端子１１が入力したＲＦ信号と局部発振器１２からの局部発振信号とを混合してベースバンド信号に変換する（ステップＳ１３）。
【００５３】
ＡＤＣ１４は、ミキサ１３の出力信号をアナログ値からデジタル値に変換する（ステップＳ１４）。
【００５４】
歪み補正部１５は、自装置で発生する歪みを補正する（ステップＳ１５）。
【００５５】
ＩＦＦＴ部３２は、Ｓパラメータ記憶部３１に記憶された周波数領域のＳパラメータを時間領域のインパルス応答に変換する（ステップＳ１６）。
【００５６】
ＦＩＲフィルタ３３は、ＩＦＦＴ部３２によって変換されたインパルス応答をフィルタ係数として歪み補正部１５からの入力信号に畳み込む（ステップＳ１７）。
【００５７】
信号解析部１６は、操作部１８を介して試験者が設定した解析項目や解析条件等に基づいて、特性補正装置３０の出力信号を解析する（ステップＳ１８）。
【００５８】
表示部１７は、信号解析部１６の解析結果を表示する（ステップＳ１９）。
【００５９】
以上のように、本実施形態における信号解析装置１０は、ＲＦ信号入力端子１１と、ＤＵＴ１が有するアンテナ接続端子２との間の無線信号伝搬環境に関するＳパラメータに基づいて設定されたフィルタ係数を有し、このフィルタ係数によりミキサ１３によって周波数変換された信号に対しフィルタ処理を行うＦＩＲフィルタ３３を備える構成を有する。
【００６０】
よって、図３に示したように、本実施形態における信号解析装置１０は、無線通信に代えて同軸ケーブル７を用いた有線通信によりＤＵＴ１を試験することができる。
【００６１】
したがって、本発明の請求項１に係る試験装置は、従来よりも容易に無線端末を試験することができる。
【００６２】
（変形例１）
前述の信号解析装置１０の変形例１として、ＤＵＴ１に接続されたアンテナ３に代わる各種アンテナごとにＳパラメータを予め求めてＳパラメータ記憶部３１に記憶させておき、所望のアンテナのＳパラメータを選択して用いることにより、信号解析装置１０は、ＤＵＴ１と有線接続された状態で容易にアンテナの評価を行うことが可能になる。その結果、信号解析装置１０は、アンテナの評価環境を簡略化し、アンテナの試作段階においての特性評価を効率的に進めることに資することができる。
【００６３】
（変形例２）
前述の信号解析装置１０の変形例２として、無線信号伝搬環境に関する種々のＳパラメータを予め求めてＳパラメータ記憶部３１に記憶させておくことにより、信号解析装置１０は、ＤＵＴ１と有線接続された状態で、例えばフェージングのシミュレーション解析を容易に行うことができる。
【００６４】
（変形例３）
前述の説明では、無線端末全体をＤＵＴ１として説明したが、これに限定されない。例えば、図２に示したＤＵＴ１の構成において、ＢＢＩＣ５０をＤＵＴとし、ＲＦＩＣ６０や、アンテナ３、アンテナ３とアンテナ４との間の電波伝搬環境に関するＳパラメータを予め求めておくことで、信号解析装置１０は、各構成要素の評価環境を簡略化し、各構成要素の特性評価を効率的に進めることに資することができる。また、Ｓパラメータは、多段接続が可能であるので、信号解析装置１０は、アンテナや電波伝搬環境、ＲＦＩＣ６０内のフィルタ等さまざまなＳパラメータを任意に接続し試験結果に反映させることができる。
【００６５】
（変形例４）
前述の信号解析装置１０の変形例４として、ＲＦ信号をＡＤＣ１４でサンプリングし、ＩＱデータとして波形メモリに記録するデジタイズ機能を信号解析装置１０に持たせれば、信号解析装置１０は、波形メモリに記録したのと同じＲＦ信号にそれとは違うＳパラメータを使い解析することにより、アンテナや伝搬環境による改善具合や劣化具合等を容易に比較することができる。
【００６６】
（変形例５）
信号解析装置１０は、Ｓパラメータを用いる構成を有するので、解析済みのデータの再利用が可能である。例えば、信号解析装置１０は、あるアンテナＡを用いた場合の解析済みのデータに対し、そのアンテナＡのＳパラメータでその特性をキャンセルし、アンテナＡとは別のアンテナＢのＳパラメータを用いて再計算を行うこともできる。
【００６７】
（変形例６）
信号解析装置１０は、Ｓパラメータを用いる構成を有するので、各種構成要素のＳパラメータをデータベース化することにより、再利用可能な資産として活用することができる。
【００６８】
［第２実施形態］
この実施形態では、本発明に係る試験装置を信号生成装置に適用した例を挙げて説明する。
【００６９】
（信号生成装置２０の概要）
まず、本実施形態における信号生成装置２０の概要について説明する。なお、第１実施形態と同様な構成には同一の符号を付し、重複する説明を省略する場合がある。
【００７０】
図６は、信号生成装置２０を従来の試験方法に適用した例を模式的に示した図である。図６に示すように、無線端末であるＤＵＴ１は、アンテナ接続端子２に接続されたアンテナ３を有し、電波シールドボックス５内に収納されている。信号生成装置２０は、ＲＦ信号出力端子２７、同軸ケーブル６及び電波シールドボックス５内に収納されたアンテナ４を介し、無線通信によりＤＵＴ１に出力する信号を生成するようになっている。なお、ＤＵＴ１は、図２に示した構成を有する。
【００７１】
以上のように、図６に示した試験構成により、信号生成装置２０は、外来ノイズを遮断した状態で、アンテナ３を含めたＤＵＴ１の評価を行うことができる。
【００７２】
しかしながら、前述の試験構成では、ＤＵＴ１を電波シールドボックス５内に収納する必要があるので、例えば、ＤＵＴ１を交換したり、アンテナ３のみを交換したりする試験では手間がかかり、試験時間が増大していた。
【００７３】
そこで、本実施形態では、図７に示すように、ＤＵＴ１と信号生成装置２０とを同軸ケーブル７で接続して、従来よりも容易にＤＵＴ１を試験できる構成としている。
【００７４】
（信号生成装置２０の構成）
次に、本実施形態における信号生成装置２０の構成について説明する。
【００７５】
図８に示すように、本実施形態における信号生成装置２０は、同軸ケーブル７を介して接続された試験対象のＤＵＴ１に試験信号を出力するものである。この信号生成装置２０は、試験装置の一例である。
【００７６】
信号生成装置２０は、波形データ記憶部２１、操作部２２、歪み補正部２３、特性補正装置３０、ＤＡＣ２４、局部発振器２５、ミキサ２６、ＲＦ信号出力端子２７を備えている。なお、信号生成装置２０は、例えばＣＰＵ、ＲＯＭ、ＲＡＭ等を備え、ＲＯＭに予め記憶されたプログラムに従って動作するようになっている。
【００７７】
波形データ記憶部２１は、ＤＵＴ１を試験するための試験信号のベースバンドの波形データを予め生成して記憶し、操作部２２からの指示信号に基づいて所定の波形データを出力するようになっている。この波形データ記憶部２１は、信号出力手段の一例である。
【００７８】
操作部２２は、波形データ記憶部２１から出力させる各種波形データを指定する際に試験者が操作するものである。例えば、操作部２２は、波形データを指定するための設定画面を表示するディスプレイ、キーボード、ダイヤル又はマウスのような入力デバイス、これらを制御する制御回路等を備える。
【００７９】
歪み補正部２３は、例えばデジタルフィルタで構成され、自装置で発生する歪みを補正し、補正した信号を特性補正装置３０に出力するようになっている。
【００８０】
特性補正装置３０は、Ｓパラメータ記憶部３１、ＩＦＦＴ部３２、ＦＩＲフィルタ３３を備え、ＤＵＴ１との通信が同軸ケーブル７を介した有線通信であっても、無線通信を行ったのと等価な信号が得られるよう、歪み補正部２３の出力信号を補正するようになっている。なお、特性補正装置３０は、第１実施形態と同じ構成であるので、構成の説明を省略する。また、本実施形態では、Ｓパラメータを例に挙げて説明するが、本発明はこれに限定されず、無線信号伝搬環境を表すことが可能なパラメータを用いることができる。
【００８１】
ＤＡＣ２４は、特性補正装置３０の出力信号をデジタル値からアナログ値に変換し、ミキサ２６に出力するようになっている。
【００８２】
局部発振器２５は、所定周波数の局部発振信号を生成してミキサ２６に出力するようになっている。
【００８３】
ミキサ２６は、ＤＡＣ２４の出力信号であるベースバンド信号と局部発振器２５からの局部発振信号とを混合して所定周波数のＲＦ信号に変換し、ＲＦ信号出力端子２７に出力するようになっている。このミキサ２６は、周波数変換手段の一例である。
【００８４】
ＲＦ信号出力端子２７は、同軸ケーブル７を介し、ＤＵＴ１にＲＦ信号を出力するようになっている。このＲＦ信号出力端子２７は、第２の端子の一例である。
【００８５】
（信号生成装置２０の動作）
次に、本実施形態における信号生成装置２０の動作について図９を用いて説明する。
【００８６】
波形データ記憶部２１は、操作部２２を介して試験者が設定した試験項目や試験条件等に基づいて、ＤＵＴ１を試験するための試験信号のベースバンドの波形データを出力する（ステップＳ２１）。
【００８７】
歪み補正部２３は、波形データ記憶部２１の出力信号に対して、自装置で発生する歪みを補正する（ステップＳ２２）。
【００８８】
ＩＦＦＴ部３２は、Ｓパラメータ記憶部３１に記憶された周波数領域のＳパラメータを時間領域のインパルス応答に変換する（ステップＳ２３）。
【００８９】
ＦＩＲフィルタ３３は、ＩＦＦＴ部３２によって変換されたインパルス応答をフィルタ係数として歪み補正部２３からの入力信号に畳み込む（ステップＳ２４）。
【００９０】
ＤＡＣ２４は、ミキサ２６の出力信号をデジタル値からアナログ値に変換する（ステップＳ２５）。
【００９１】
局部発振器２５は、所定周波数の局部発振信号を生成する（ステップＳ２６）。
【００９２】
ミキサ２６は、ＤＡＣ２４の出力信号であるベースバンド信号と局部発振器２５からの局部発振信号とを混合してＲＦ信号に変換する（ステップＳ２７）。
【００９３】
ＲＦ信号出力端子２７は、同軸ケーブル７を介し、ＲＦ信号をＤＵＴ１に出力する（ステップＳ２８）。
【００９４】
以上のように、本実施形態における信号生成装置２０は、ＲＦ信号出力端子２７と、ＤＵＴ１が有するアンテナ接続端子２との間の無線信号伝搬環境に関するＳパラメータに基づいて設定されたフィルタ係数を有し、このフィルタ係数により波形データ記憶部２１の出力信号に対しフィルタ処理を行うＦＩＲフィルタ３３を備える構成を有する。
【００９５】
よって、図７に示したように、本実施形態における信号生成装置２０は、無線通信に代えて同軸ケーブル７を用いた有線通信によりＤＵＴ１を試験することができる。
【００９６】
したがって、本発明の請求項１に係る試験装置は、従来よりも容易に無線端末を試験することができる。
【００９７】
（変形例１）
前述の信号生成装置２０の変形例１として、ＤＵＴ１に接続されたアンテナ３に代わる各種アンテナごとにＳパラメータを予め求めてＳパラメータ記憶部３１に記憶させておき、所望のアンテナのＳパラメータを選択して用いることにより、信号生成装置２０は、ＤＵＴ１と有線接続された状態で容易にアンテナの評価を行うことが可能になる。その結果、信号生成装置２０は、アンテナの評価環境を簡略化し、アンテナの試作段階においての特性評価を効率的に進めることに資することができる。
【００９８】
（変形例２）
前述の信号生成装置２０の変形例２として、無線信号伝搬環境に関する種々のＳパラメータを予め求めてＳパラメータ記憶部３１に記憶させておくことにより、信号生成装置２０は、ＤＵＴ１と有線接続された状態で、例えばフェージングのシミュレーション解析を容易に行うことができる。
【００９９】
（変形例３）
前述の説明では、無線端末全体をＤＵＴ１として説明したが、これに限定されない。例えば、図２に示したＤＵＴ１の構成において、ＢＢＩＣ５０をＤＵＴとし、ＲＦＩＣ６０や、アンテナ３、アンテナ３とアンテナ４との間の電波伝搬環境に関するＳパラメータを予め求めておくことで、信号生成装置２０は、各構成要素の評価環境を簡略化し、各構成要素の特性評価を効率的に進めることに資することができる。また、Ｓパラメータは、多段接続が可能であるので、信号生成装置２０は、アンテナや電波伝搬環境、ＲＦＩＣ６０内のフィルタ等さまざまなＳパラメータを任意に接続し試験結果に反映させることができる。
【０１００】
（変形例４）
信号生成装置２０は、Ｓパラメータを用いる構成を有するので、解析済みのデータの再利用が可能である。例えば、信号生成装置２０は、あるアンテナＡを用いた場合の解析済みのデータに対し、そのアンテナＡのＳパラメータでその特性をキャンセルし、アンテナＡとは別のアンテナＢのＳパラメータを用いて再計算を行うこともできる。
【０１０１】
（変形例５）
信号生成装置２０は、Ｓパラメータを用いる構成を有するので、各種構成要素のＳパラメータをデータベース化することにより、再利用可能な資産として活用することができる。
【産業上の利用可能性】
【０１０２】
以上のように、本発明に係る試験装置及び試験方法は、従来よりも容易に無線端末を試験することができるという効果を有し、無線端末を試験する試験装置及び試験方法として有用である。
【符号の説明】
【０１０３】
１  ＤＵＴ（無線端末）
２  アンテナ接続端子（第１の端子）
３  アンテナ（第１のアンテナ）
４  アンテナ（第２のアンテナ）
７  同軸ケーブル（ケーブル）
１０  信号解析装置（試験装置）
１１  ＲＦ信号入力端子（第２の端子）
１３  ミキサ（周波数変換手段）
１６  信号解析部（信号解析手段）
２０  信号生成装置（試験装置）
２１  波形データ記憶部（信号出力手段）
２６  ミキサ（周波数変換手段）
２７  ＲＦ信号出力端子（第２の端子）
３１  Ｓパラメータ記憶部（パラメータ記憶手段）
３２  ＩＦＦＴ部（インパルス応答変換手段）
３３  ＦＩＲフィルタ（フィルタ処理手段）
【図１】
2016191557.tif 000003
【図２】
2016191557.tif 000004
【図３】
2016191557.tif 000005
【図４】
2016191557.tif 000006
【図５】
2016191557.tif 000007
【図６】
2016191557.tif 000008
【図７】
2016191557.tif 000009
【図８】
2016191557.tif 000010
【図９】
2016191557.tif 000011